(57)【特許請求の範囲】
【請求項１】
物体側から順に、負の屈折力を持つ第１レンズ群、正の屈折力を持つ第２レンズ群、及び正の屈折力を持つ第３レンズ群からなり、短焦点距離端から長焦点距離端への変倍に際し、第１レンズ群と第２レンズ群のレンズ群間隔が減少し、第２レンズ群と第３レンズ群のレンズ群間隔が増加するズームレンズ系において、
第２レンズ群は、物体側から順に、正の屈折力を持つ第２Ａレンズ群、及び負の屈折力を持つ第２Ｂレンズ群からなっていること、
少なくとも一部のズーミング域で、第２Ｂレンズ群と第３レンズ群の双方がフォーカシング時に移動するフォーカスレンズ群を構成すること、及び
第３レンズ群が単独でフォーカスレンズ群を構成するズーミング域と、第２Ｂレンズ群と第３レンズ群の双方がフォーカスレンズ群を構成するズーミング域とを有していること、
を特徴とするズームレンズ系。
【請求項２】
請求項１記載のズームレンズ系において、
短焦点距離端における第２Ｂレンズ群のフォーカシング移動量は第３レンズ群のフォーカシング移動量よりも小さいズームレンズ系。
【請求項３】
請求項２記載のズームレンズ系において、
次の条件式（１）を満足するズームレンズ系。
（１）−０．５＜ｄＷ２Ｂ／ｄＷ３＜０．２
但し、
ｄＷ２Ｂ：短焦点距離端かつ所定の物体距離における第２Ｂレンズ群のフォーカシング移動量（像側に向かって移動する方向を正とし、物体側に向かって移動する方向を負とする）、
ｄＷ３：短焦点距離端かつ所定の物体距離における第３レンズ群のフォーカシング移動量（像側に向かって移動する方向を正とし、物体側に向かって移動する方向を負とする）。
【請求項４】
請求項１ないし３のいずれか１項記載のズームレンズ系において、
第２Ｂレンズ群のフォーカシング移動量に対する第３レンズ群のフォーカシング移動量の比は、ズーミングによる焦点距離変化に応じて変化し、次の条件式（２）を満足するズームレンズ系。
（２）−５０＜ｄＸ３／ｄＸ２Ｂ≦０
但し、
ｄＸ３：中間焦点距離ないし長焦点距離端の所定の焦点距離かつ所定の物体距離における第３レンズ群のフォーカシング移動量（像側に向かって移動する方向を正とし、物体側に向かって移動する方向を負とする）、
ｄＸ２Ｂ：中間焦点距離ないし長焦点距離端の所定の焦点距離かつ所定の物体距離における第２Ｂレンズ群のフォーカシング移動量（像側に向かって移動する方向を正とし、物体側に向かって移動する方向を負とする）。
【請求項５】
請求項１ないし４のいずれか１項記載のズームレンズ系において、
第２Ａレンズ群は、物体側から順に、正レンズ、正レンズ、負レンズ、及び正レンズの４枚のレンズで構成されているズームレンズ系。
【請求項６】
物体側から順に、負の屈折力を持つ第１レンズ群、正の屈折力を持つ第２レンズ群、及び正の屈折力を持つ第３レンズ群からなり、短焦点距離端から長焦点距離端への変倍に際し、第１レンズ群と第２レンズ群のレンズ群間隔が減少し、第２レンズ群と第３レンズ群のレンズ群間隔が増加するズームレンズ系において、
第２レンズ群は、物体側から順に、正の屈折力を持つ第２Ａレンズ群、及び負の屈折力を持つ第２Ｂレンズ群からなっていること、
少なくとも一部のズーミング域で、第２Ｂレンズ群と第３レンズ群の双方がフォーカシング時に移動するフォーカスレンズ群を構成すること、
短焦点距離端における第２Ｂレンズ群のフォーカシング移動量は第３レンズ群のフォーカシング移動量よりも小さいこと、及び
次の条件式（１）を満足すること、
を特徴とするズームレンズ系。
（１）−０．５＜ｄＷ２Ｂ／ｄＷ３＜０．２
但し、
ｄＷ２Ｂ：短焦点距離端かつ所定の物体距離における第２Ｂレンズ群のフォーカシング移動量（像側に向かって移動する方向を正とし、物体側に向かって移動する方向を負とする）、
ｄＷ３：短焦点距離端かつ所定の物体距離における第３レンズ群のフォーカシング移動量（像側に向かって移動する方向を正とし、物体側に向かって移動する方向を負とする）。
【請求項７】
請求項６記載のズームレンズ系において、
第２Ｂレンズ群のフォーカシング移動量に対する第３レンズ群のフォーカシング移動量の比は、ズーミングによる焦点距離変化に応じて変化し、次の条件式（２）を満足するズームレンズ系。
（２）−５０＜ｄＸ３／ｄＸ２Ｂ≦０
但し、
ｄＸ３：中間焦点距離ないし長焦点距離端の所定の焦点距離かつ所定の物体距離における第３レンズ群のフォーカシング移動量（像側に向かって移動する方向を正とし、物体側に向かって移動する方向を負とする）、
ｄＸ２Ｂ：中間焦点距離ないし長焦点距離端の所定の焦点距離かつ所定の物体距離における第２Ｂレンズ群のフォーカシング移動量（像側に向かって移動する方向を正とし、物体側に向かって移動する方向を負とする）。
【請求項８】
請求項６または７記載のズームレンズ系において、
第２Ａレンズ群は、物体側から順に、正レンズ、正レンズ、負レンズ、及び正レンズの４枚のレンズで構成されているズームレンズ系。
【請求項９】
物体側から順に、負の屈折力を持つ第１レンズ群、正の屈折力を持つ第２レンズ群、及び正の屈折力を持つ第３レンズ群からなり、短焦点距離端から長焦点距離端への変倍に際し、第１レンズ群と第２レンズ群のレンズ群間隔が減少し、第２レンズ群と第３レンズ群のレンズ群間隔が増加するズームレンズ系において、
第２レンズ群は、物体側から順に、正の屈折力を持つ第２Ａレンズ群、及び負の屈折力を持つ第２Ｂレンズ群からなっていること、
少なくとも一部のズーミング域で、第２Ｂレンズ群と第３レンズ群の双方がフォーカシング時に移動するフォーカスレンズ群を構成すること、
第２Ｂレンズ群のフォーカシング移動量に対する第３レンズ群のフォーカシング移動量の比は、ズーミングによる焦点距離変化に応じて変化すること、及び
次の条件式（２）を満足すること、
を特徴とするズームレンズ系。
（２）−５０＜ｄＸ３／ｄＸ２Ｂ≦０
但し、
ｄＸ３：中間焦点距離ないし長焦点距離端の所定の焦点距離かつ所定の物体距離における第３レンズ群のフォーカシング移動量（像側に向かって移動する方向を正とし、物体側に向かって移動する方向を負とする）、
ｄＸ２Ｂ：中間焦点距離ないし長焦点距離端の所定の焦点距離かつ所定の物体距離における第２Ｂレンズ群のフォーカシング移動量（像側に向かって移動する方向を正とし、物体側に向かって移動する方向を負とする）。
【請求項１０】
請求項９記載のズームレンズ系において、
第２Ａレンズ群は、物体側から順に、正レンズ、正レンズ、負レンズ、及び正レンズの４枚のレンズで構成されているズームレンズ系。
【請求項１１】
物体側から順に、負の屈折力を持つ第１レンズ群、正の屈折力を持つ第２レンズ群、及び正の屈折力を持つ第３レンズ群からなり、短焦点距離端から長焦点距離端への変倍に際し、第１レンズ群と第２レンズ群のレンズ群間隔が減少し、第２レンズ群と第３レンズ群のレンズ群間隔が増加するズームレンズ系において、
第２レンズ群は、物体側から順に、正の屈折力を持つ第２Ａレンズ群、及び負の屈折力を持つ第２Ｂレンズ群からなっていること、
少なくとも一部のズーミング域で、第２Ｂレンズ群と第３レンズ群の双方がフォーカシング時に移動するフォーカスレンズ群を構成すること、及び
第２Ａレンズ群は、物体側から順に、正レンズ、正レンズ、負レンズ、及び正レンズの４枚のレンズで構成されていること、
を特徴とするズームレンズ系。
【請求項１２】
請求項１ないし１１のいずれか１項記載のズームレンズ系において、
中間焦点距離ｆｍ（ｆｍ＝（ｆｗ・ｆｔ）1/2、ｆｗは短焦点距離端における全系の焦点距離、ｆｔは長焦点距離端における全系の焦点距離）から長焦点距離端までのズーミング域では、第２Ｂレンズ群と第３レンズ群の双方がフォーカスレンズ群を構成するズームレンズ系。
【請求項１３】
請求項１ないし１２のいずれか１項記載のズームレンズ系において、
第２Ｂレンズ群のフォーカシング移動量と第３レンズ群のフォーカシング移動量の比率が物体距離に応じて変動するズームレンズ系。
【請求項１４】
請求項１ないし１３のいずれか１項記載のズームレンズ系において、
次の条件式（３）を満足するズームレンズ系。
（３）−１．５＜Ｆ２／Ｆ２Ｂ＜−０．７
但し、
Ｆ２：第２レンズ群の焦点距離、
Ｆ２Ｂ：第２Ｂレンズ群の焦点距離。
【請求項１５】
請求項１ないし１４のいずれか１項記載のズームレンズ系において、
第２Ｂレンズ群は、負単レンズで構成されているズームレンズ系。
【請求項１６】
請求項１５記載のズームレンズ系において、
次の条件式（４）を満足するズームレンズ系。
（４）０＜（ＲＡ＋ＲＢ）／（ＲＡ−ＲＢ）＜３
但し、
ＲＡ：第２Ｂレンズ群を構成する負単レンズの物体側の面の曲率半径、
ＲＢ：第２Ｂレンズ群を構成する負単レンズの像側の面の曲率半径。
【請求項１７】
請求項１５または１６記載のズームレンズ系において、
次の条件式（５）を満足するズームレンズ系。
（５）ν２Ｂ＞４５
但し、
ν２Ｂ：第２Ｂレンズ群を構成する負単レンズのｄ線に対するアッベ数。
【請求項１８】
請求項１ないし１７のいずれか１項記載のズームレンズ系において、
次の条件式（６）を満足するズームレンズ系。
（６）Ｔ２Ｂ／Ｔ２＜０．１
但し、
Ｔ２Ｂ：第２Ｂレンズ群の最も物体側の面から最も像側の面迄の光軸上の距離、
Ｔ２：第２レンズ群の最も物体側の面から最も像側の面迄の光軸上の距離。
【請求項１９】
請求項１ないし１８のいずれか１項記載のズームレンズ系において、
次の条件式（７）を満足するズームレンズ系。
（７）１．０５＜Ｍ３Ｔ／Ｍ３Ｗ＜１．３５
但し、
Ｍ３Ｔ：長焦点距離端における無限遠合焦時の第３レンズ群の横倍率、
Ｍ３Ｗ：短焦点距離端における無限遠合焦時の第３レンズ群の横倍率。
【請求項２０】
請求項１ないし１９のいずれか１項記載のズームレンズ系において、
第１レンズ群は、物体側から順に、負レンズ、少なくとも１面が非球面である負レンズ、及び正レンズの３枚のレンズで構成されており、次の条件式（８）を満足するズームレンズ系。
（８）０＜Ｆ１／ＦＡ＜０．４
但し、
Ｆ１：第１レンズ群の焦点距離、
ＦＡ：第１レンズ群中の非球面レンズの焦点距離。
【請求項２１】
請求項１ないし２０のいずれか１項記載のズームレンズ系において、
第３レンズ群は、正単レンズで構成されており、次の条件式（９）を満足するズームレンズ系。
（９）ＳＧ３＜１．５
但し、
ＳＧ３：第３レンズ群を構成する正単レンズの比重。
【発明の詳細な説明】
【技術分野】
【０００１】
本発明は、ズームレンズ系に関する。
【背景技術】
【０００２】
コンパクトデジタルカメラ用のイメージセンサーは一般的には1/2.5型〜1/1.7型（インチ）程度のものが使用されており、画素ピッチを微細化して高画素化は達成されているが、近年では画素ピッチが１〜２μｍ程度まで小さくなっており、本質的意味でのこれ以上の画質向上は望めなくなる。本質的に高画質化を達成する手段としては、コンパクトデジタルカメラにおいても画素ピッチを大きくできる大型のイメージセンサーを使用することが挙げられる。ところが、イメージセンサーのサイズが大きくなると光学系も大きくなり、コンパクトデジタルカメラ用としては許容できない大きさとなってしまう。特に、従来行われてきた前玉フォーカスやリアフォーカスなどレンズ群全体を動かしてフォーカシングする方法では、機構系を含めたレンズユニットの小型化が困難であった。
【０００３】
広角化とレンズ全長の短縮化を狙ったレンズタイプとして、例えば、負正負の３群ズームレンズ系、及びテレセントリック性のよい負正正の３群ズームレンズ系が知られている。しかし、前者は外径が大きい第１レンズ群でフォーカシングを行うことが多いため機構上の負担が大きいという問題がある。後者は第３レンズ群でフォーカシングを行うことが可能であるが、長焦点距離端において近距離性能が悪化しやすく、またフォーカシング移動量が大きくなるため最短撮影距離を短くすることができないという問題がある。
【０００４】
フォーカスレンズ群の軽量化を狙ったレンズタイプとして、負正正の３群ズームレンズ系において、第２レンズ群の最も像側のレンズをフォーカスレンズとして使用するものが知られている（特許文献１）。しかしこの構成のズームレンズ系にあっては、短焦点距離端から長焦点距離端までの全てのズーミング域で近距離性能を良化させることが困難であり、無理にこれを達成するためにはレンズ系の大型化が避けられない。また、フォーカスレンズに要求されるフォーカシング移動量はズーミング域（焦点距離）によって異なり、特に長焦点距離端や短焦点距離端などの変倍時にレンズ群が接近するズーミング域においては、フォーカシング移動量が大きいとレンズ系の小型化の障害となる。
【先行技術文献】
【特許文献】
【０００５】
【特許文献１】特許第４０６７８２８号公報
【発明の概要】
【発明が解決しようとする課題】
【０００６】
本発明は、以上の問題意識に基づいて完成されたものであり、ズーム全域で近距離性能が良好であり、レンズ系を小型化でき、広角高変倍で大型のイメージセンサーにも対応可能なズームレンズ系を得ることを目的とする。
【課題を解決するための手段】
【０００７】
本発明のズームレンズ系は、第１の態様では、物体側から順に、負の屈折力を持つ第１レンズ群、正の屈折力を持つ第２レンズ群、及び正の屈折力を持つ第３レンズ群からなり、短焦点距離端から長焦点距離端への変倍に際し、第１レンズ群と第２レンズ群のレンズ群間隔が減少し、第２レンズ群と第３レンズ群のレンズ群間隔が増加するズームレンズ系において、第２レンズ群は、物体側から順に、正の屈折力を持つ第２Ａレンズ群、及び負の屈折力を持つ第２Ｂレンズ群からなっていること、少なくとも一部のズーミング域で、第２Ｂレンズ群と第３レンズ群の双方がフォーカシング時に移動するフォーカスレンズ群を構成すること、及び第３レンズ群が単独でフォーカスレンズ群を構成するズーミング域と、第２Ｂレンズ群と第３レンズ群の双方がフォーカスレンズ群を構成するズーミング域とを有していること、を特徴としている。
【０００８】
本発明のズームレンズ系は、第２の態様では、物体側から順に、負の屈折力を持つ第１レンズ群、正の屈折力を持つ第２レンズ群、及び正の屈折力を持つ第３レンズ群からなり、短焦点距離端から長焦点距離端への変倍に際し、第１レンズ群と第２レンズ群のレンズ群間隔が減少し、第２レンズ群と第３レンズ群のレンズ群間隔が増加するズームレンズ系において、第２レンズ群は、物体側から順に、正の屈折力を持つ第２Ａレンズ群、及び負の屈折力を持つ第２Ｂレンズ群からなっていること、少なくとも一部のズーミング域で、第２Ｂレンズ群と第３レンズ群の双方がフォーカシング時に移動するフォーカスレンズ群を構成すること、短焦点距離端における第２Ｂレンズ群のフォーカシング移動量は第３レンズ群のフォーカシング移動量よりも小さいこと、及び次の条件式（１）を満足すること、を特徴としている。
（１）−０．５＜ｄＷ２Ｂ／ｄＷ３＜０．２
但し、
ｄＷ２Ｂ：短焦点距離端かつ所定の物体距離における第２Ｂレンズ群のフォーカシング移動量（像側に向かって移動する方向を正とし、物体側に向かって移動する方向を負とする）[mm]、
ｄＷ３：短焦点距離端かつ所定の物体距離における第３レンズ群のフォーカシング移動量（像側に向かって移動する方向を正とし、物体側に向かって移動する方向を負とする）[mm]、
である。
【０００９】
本発明のズームレンズ系は、第３の態様では、物体側から順に、負の屈折力を持つ第１レンズ群、正の屈折力を持つ第２レンズ群、及び正の屈折力を持つ第３レンズ群からなり、短焦点距離端から長焦点距離端への変倍に際し、第１レンズ群と第２レンズ群のレンズ群間隔が減少し、第２レンズ群と第３レンズ群のレンズ群間隔が増加するズームレンズ系において、第２レンズ群は、物体側から順に、正の屈折力を持つ第２Ａレンズ群、及び負の屈折力を持つ第２Ｂレンズ群からなっていること、少なくとも一部のズーミング域で、第２Ｂレンズ群と第３レンズ群の双方がフォーカシング時に移動するフォーカスレンズ群を構成すること、第２Ｂレンズ群のフォーカシング移動量に対する第３レンズ群のフォーカシング移動量の比は、ズーミングによる焦点距離変化に応じて変化すること、及び次の条件式（２）を満足すること、を特徴としている。
（２）−５０＜ｄＸ３／ｄＸ２Ｂ≦０
但し、
ｄＸ３：中間焦点距離ないし長焦点距離端の所定の焦点距離かつ所定の物体距離における第３レンズ群のフォーカシング移動量（像側に向かって移動する方向を正とし、物体側に向かって移動する方向を負とする）[mm]、
ｄＸ２Ｂ：中間焦点距離ないし長焦点距離端の所定の焦点距離かつ所定の物体距離における第２Ｂレンズ群のフォーカシング移動量（像側に向かって移動する方向を正とし、物体側に向かって移動する方向を負とする）[mm]、
である。
【００１０】
本発明のズームレンズ系は、第４の態様では、物体側から順に、負の屈折力を持つ第１レンズ群、正の屈折力を持つ第２レンズ群、及び正の屈折力を持つ第３レンズ群からなり、短焦点距離端から長焦点距離端への変倍に際し、第１レンズ群と第２レンズ群のレンズ群間隔が減少し、第２レンズ群と第３レンズ群のレンズ群間隔が増加するズームレンズ系において、第２レンズ群は、物体側から順に、正の屈折力を持つ第２Ａレンズ群、及び負の屈折力を持つ第２Ｂレンズ群からなっていること、少なくとも一部のズーミング域で、第２Ｂレンズ群と第３レンズ群の双方がフォーカシング時に移動するフォーカスレンズ群を構成すること、及び第２Ａレンズ群は、物体側から順に、正レンズ、正レンズ、負レンズ、及び正レンズの４枚のレンズで構成されていること、を特徴としている。
【００１１】
本発明のズームレンズ系は、中間焦点距離ｆｍ（ｆｍ＝（ｆｗ・ｆｔ）1/2、ｆｗは短焦点距離端における全系の焦点距離、ｆｔは長焦点距離端における全系の焦点距離）から長焦点距離端までのズーミング域では、第２Ｂレンズ群と第３レンズ群の双方がフォーカスレンズ群を構成することが好ましい。
【００１２】
本発明のズームレンズ系は、第２Ｂレンズ群のフォーカシング移動量と第３レンズ群のフォーカシング移動量の比率を物体距離に応じて変動させることができる。
【００１３】
本発明のズームレンズ系は、次の条件式（３）を満足することが好ましい。
（３）−１．５＜Ｆ２／Ｆ２Ｂ＜−０．７
但し、
Ｆ２：第２レンズ群の焦点距離[mm]、
Ｆ２Ｂ：第２Ｂレンズ群の焦点距離[mm]、
である。
【００１４】
フォーカスレンズ群である第２Ｂレンズ群は、具体的に、負単レンズで構成することができる。
【００１５】
本発明のズームレンズ系は、第２Ｂレンズ群を負単レンズで構成した上で、次の条件式（４）を満足することが好ましい。
（４）０＜（ＲＡ＋ＲＢ）／（ＲＡ−ＲＢ）＜３
但し、
ＲＡ：第２Ｂレンズ群を構成する負単レンズの物体側の面の曲率半径[mm]、
ＲＢ：第２Ｂレンズ群を構成する負単レンズの像側の面の曲率半径[mm]、
である。
【００１６】
本発明のズームレンズ系は、第２Ｂレンズ群を負単レンズで構成した上で、次の条件式（５）を満足することが好ましい。
（５）ν２Ｂ＞４５
但し、
ν２Ｂ：第２Ｂレンズ群を構成する負単レンズのｄ線に対するアッベ数、
である。
【００１７】
本発明のズームレンズ系は、次の条件式（６）を満足することが好ましい。
（６）Ｔ２Ｂ／Ｔ２＜０．１
但し、
Ｔ２Ｂ：第２Ｂレンズ群の最も物体側の面から最も像側の面迄の光軸上の距離（第２Ｂレンズ群の光軸上の厚み）[mm]、
Ｔ２：第２レンズ群の最も物体側の面から最も像側の面迄の光軸上の距離（第２レンズ群の光軸上の厚み）[mm]、
である。
【００１８】
本発明のズームレンズ系は、次の条件式（７）を満足することが好ましい。
（７）１．０５＜Ｍ３Ｔ／Ｍ３Ｗ＜１．３５
但し、
Ｍ３Ｔ：長焦点距離端における無限遠合焦時の第３レンズ群の横倍率（結像倍率）、
Ｍ３Ｗ：短焦点距離端における無限遠合焦時の第３レンズ群の横倍率（結像倍率）、
である。
【００２０】
本発明のズームレンズ系は、第１レンズ群を、物体側から順に、負レンズ、少なくとも１面が非球面である負レンズ、及び正レンズの３枚のレンズで構成し、次の条件式（８）を満足することが好ましい。
（８）０＜Ｆ１／ＦＡ＜０．４
但し、
Ｆ１：第１レンズ群の焦点距離[mm]、
ＦＡ：第１レンズ群中の非球面レンズの焦点距離[mm]、
である。
【００２１】
本発明のズームレンズ系は、第３レンズ群を正単レンズで構成し、次の条件式（９）を満足することが好ましい。
（９）ＳＧ３＜１．５
但し、
ＳＧ３：第３レンズ群を構成する正単レンズの比重。
【発明の効果】
【００２２】
本発明によれば、ズーム全域で近距離性能が良好であり、レンズ系を小型化でき、広角高変倍で大型のイメージセンサーにも対応可能なズームレンズ系が得られる。
【図面の簡単な説明】
【００２３】
【図１】本発明によるズームレンズ系の数値実施例１の短焦点距離端における無限遠合焦時のレンズ構成図である。
【図２】図１のように構成されたズームレンズ系の短焦点距離端における無限遠合焦時の諸収差図である。
【図３】図１のように構成されたズームレンズ系の中間焦点距離における無限遠合焦時の諸収差図である。
【図４】図１のように構成されたズームレンズ系の長焦点距離端における無限遠合焦時の諸収差図である。
【図５】本発明によるズームレンズ系の数値実施例２の短焦点距離端における無限遠合焦時のレンズ構成図である。
【図６】図５のように構成されたズームレンズ系の短焦点距離端における無限遠合焦時の諸収差図である。
【図７】図５のように構成されたズームレンズ系の中間焦点距離における無限遠合焦時の諸収差図である。
【図８】図５のように構成されたズームレンズ系の長焦点距離端における無限遠合焦時の諸収差図である。
【図９】本発明によるズームレンズ系の数値実施例３の短焦点距離端における無限遠合焦時のレンズ構成図である。
【図１０】図９のように構成されたズームレンズ系の短焦点距離端における無限遠合焦時の諸収差図である。
【図１１】図９のように構成されたズームレンズ系の中間焦点距離における無限遠合焦時の諸収差図である。
【図１２】図９のように構成されたズームレンズ系の長焦点距離端における無限遠合焦時の諸収差図である。
【図１３】本発明によるズームレンズ系の数値実施例４の短焦点距離端における無限遠合焦時のレンズ構成図である。
【図１４】図１３のように構成されたズームレンズ系の短焦点距離端における無限遠合焦時の諸収差図である。
【図１５】図１３のように構成されたズームレンズ系の中間焦点距離における無限遠合焦時の諸収差図である。
【図１６】図１３のように構成されたズームレンズ系の長焦点距離端における無限遠合焦時の諸収差図である。
【図１７】本発明によるズームレンズ系の数値実施例５の短焦点距離端における無限遠合焦時のレンズ構成図である。
【図１８】図１７のように構成されたズームレンズ系の短焦点距離端における無限遠合焦時の諸収差図である。
【図１９】図１７のように構成されたズームレンズ系の中間焦点距離における無限遠合焦時の諸収差図である。
【図２０】図１７のように構成されたズームレンズ系の長焦点距離端における無限遠合焦時の諸収差図である。
【図２１】本発明によるズームレンズ系の第１のズーム軌跡を示す簡易移動図である。
【図２２】本発明によるズームレンズ系の第２のズーム軌跡を示す簡易移動図である。
【発明を実施するための形態】
【００２４】
本実施形態のズームレンズ系は、数値実施例１、３−５では、図２１の簡易移動図に示すように、物体側から順に、負の屈折力を持つ第１レンズ群Ｇ１、正の屈折力を持つ第２レンズ群Ｇ２、及び正の屈折力を持つ第３レンズ群Ｇ３で構成されている。第１レンズ群Ｇ１と第２レンズ群Ｇ２の間に位置する絞りＳは、第２レンズ群Ｇ２と一体に移動する。Ｉは像面である。
短焦点距離端（Ｗｉｄｅ）から長焦点距離端（Ｔｅｌｅ）への変倍（ズーミング）に際し、第１レンズ群Ｇ１と第２レンズ群Ｇ２のレンズ群間隔が減少し、第２レンズ群Ｇ２と第３レンズ群Ｇ３のレンズ群間隔が増加するように、第１レンズ群Ｇ１ないし第３レンズ群Ｇ３の全てのレンズ群が光軸方向に移動する。
より具体的には、短焦点距離端から長焦点距離端への変倍に際し、第１レンズ群Ｇ１は一旦像側に移動してから短焦点距離端の位置を超えて物体側に戻り（結果として物体側に移動し）、第２レンズ群Ｇ２は単調に物体側に移動し、第３レンズ群Ｇ３は単調に像側に移動する。第３レンズ群は一旦物体側に移動してから像側へ移動しても良い。
【００２５】
本実施形態のズームレンズ系は、数値実施例２では、図２２の簡易移動図に示すように、物体側から順に、負の屈折力を持つ第１レンズ群Ｇ１、正の屈折力を持つ第２レンズ群Ｇ２、正の屈折力を持つ第３レンズ群Ｇ３、及び負の屈折力を持つ第４レンズ群Ｇ４で構成されている。第１レンズ群Ｇ１と第２レンズ群Ｇ２の間に位置する絞りＳは、第２レンズ群Ｇ２と一体に移動する。Ｉは像面である。
短焦点距離端（Ｗｉｄｅ）から長焦点距離端（Ｔｅｌｅ）への変倍（ズーミング）に際し、第１レンズ群Ｇ１と第２レンズ群Ｇ２のレンズ群間隔が減少し、第２レンズ群Ｇ２と第３レンズ群Ｇ３のレンズ群間隔が増加し、第３レンズ群Ｇ３と第４レンズ群Ｇ４のレンズ群間隔が減少するように、第１レンズ群Ｇ１ないし第３レンズ群Ｇ３が光軸方向に移動する。
より具体的には、短焦点距離端から長焦点距離端への変倍に際し、第１レンズ群Ｇ１は一旦像側に移動してから短焦点距離端の位置を超えて物体側に戻り（結果として物体側に移動し）、第２レンズ群Ｇ２は単調に物体側に移動し、第３レンズ群Ｇ３は単調に像側に移動し、第４レンズ群Ｇ４は光軸方向に移動しない（像面Ｉとの距離が固定である）。
【００２６】
第１レンズ群Ｇ１は、全数値実施例１−５を通じて、物体側から順に、負レンズ１１、負レンズ１２、及び正レンズ１３の３枚のレンズで構成されている。負レンズ１２は、その両面が非球面である。
【００２７】
第２レンズ群Ｇ２は、全数値実施例１−５を通じて、物体側から順に、正の屈折力を持つ第２Ａレンズ群Ｇ２Ａ、及び負の屈折力を持つ第２Ｂレンズ群Ｇ２Ｂで構成されている。
第２Ａレンズ群Ｇ２Ａは、物体側から順に、正レンズ２１、物体側から順に位置する正レンズ２２と負レンズ２３の接合レンズ、及び正レンズ２４の４枚のレンズで構成されている。正レンズ２１は、その両面が非球面である。
第２Ｂレンズ群Ｇ２Ｂは、１枚の負レンズ（負単レンズ）２５で構成されている。
【００２８】
第３レンズ群Ｇ３は、１枚の正レンズ（正単レンズ）３１で構成されている。正レンズ３１は、その両面が非球面である。
【００２９】
第２Ｂレンズ群Ｇ２Ｂ（負単レンズ２５）及び第３レンズ群Ｇ３（正単レンズ３１）は、フォーカシング時に移動するフォーカスレンズ群である。本実施形態では、無限遠物体から有限距離物体へ合焦させるに際し、少なくとも一部の焦点距離領域（ズーミング域）で、第２Ｂレンズ群Ｇ２Ｂ（負単レンズ２５）を物体側または像側に移動させかつ第３レンズ群Ｇ３（正単レンズ３１）を物体側に移動させている（第２Ｂレンズ群Ｇ２Ｂと第３レンズ群Ｇ３の双方がフォーカスレンズ群を構成している）。
【００３０】
より具体的に、数値実施例１、５では、短焦点距離端から長焦点距離端までの全ての焦点距離領域（ズーミング域）を通じて、第２Ｂレンズ群Ｇ２Ｂ（負単レンズ２５）を物体側または像側に移動させかつ第３レンズ群Ｇ３（正単レンズ３１）を物体側に移動させることでフォーカシングを行っている。
数値実施例２、４では、短焦点距離端から長焦点距離端までの焦点距離領域（ズーミング域）において、第３レンズ群Ｇ３（正単レンズ３１）のみを物体側に移動させてフォーカシングを行う焦点距離領域（ズーミング域）と、第２Ｂレンズ群Ｇ２Ｂ（負単レンズ２５）を像側に移動させかつ第３レンズ群Ｇ３（正単レンズ３１）を物体側に移動させてフォーカシングを行う焦点距離領域（ズーミング域）とが存在する。
数値実施例３では、短焦点距離端から長焦点距離端までの焦点距離領域（ズーミング域）において、第２Ｂレンズ群Ｇ２Ｂ（負単レンズ２５）のみを像側に移動させてフォーカシングを行う焦点距離領域（ズーミング域）と、第３レンズ群Ｇ３（正単レンズ３１）のみを物体側に移動させてフォーカシングを行う焦点距離領域（ズーミング域）と、第２Ｂレンズ群Ｇ２Ｂ（負単レンズ２５）を像側に移動させかつ第３レンズ群Ｇ３（正単レンズ３１）を物体側に移動させてフォーカシングを行う焦点距離領域（ズーミング域）とが存在する。
【００３１】
インナーフォーカス式のズームレンズ系において１つのレンズ群によってフォーカシングを行うタイプ（例えば本実施形態の第２Ｂレンズ群Ｇ２Ｂのみによってフォーカシングを行うタイプ）では、短焦点距離端から長焦点距離端までの全てのズーミング域で無限遠物体から近距離物体への合焦時の光学性能を良好にするのは極めて困難であり、無理にこれを達成するためにはレンズ系の大型化が避けられない。また、フォーカスレンズに要求されるフォーカシング移動量はズーミング域（焦点距離）によって異なり、特に長焦点距離端や短焦点距離端などの変倍時にレンズ群が接近するズーミング域においては、フォーカシング移動量が大きいとレンズ系の小型化の障害となる。
【００３２】
そこで本実施形態のズームレンズ系は、その数値実施例１、５では、短焦点距離端から長焦点距離端までの全てのズーミング域を通じて、第２Ｂレンズ群Ｇ２Ｂと第３レンズ群Ｇ３の双方でフォーカシングを実行し、第２Ｂレンズ群Ｇ２Ｂと第３レンズ群Ｇ３のフォーカシング移動量の比率をズームステップごとに最適化することによって、ズーム全域で近距離性能が良好であり、レンズ系を小型化でき、広角高変倍で大型のイメージセンサーにも対応可能なズームレンズ系を達成している。
【００３３】
本実施形態のズームレンズ系は、その数値実施例２、４では、短焦点距離端から長焦点距離端までのズーミング域に応じて、第３レンズ群Ｇ３が単独でフォーカシングを実行するズーミング域と、第２Ｂレンズ群Ｇ２Ｂと第３レンズ群Ｇ３の双方でフォーカシングを実行するズーミング域とを切り替えている。そして第２Ｂレンズ群Ｇ２Ｂと第３レンズ群Ｇ３の双方でフォーカシングを実行するズーミング域では、第２Ｂレンズ群Ｇ２Ｂと第３レンズ群Ｇ３のフォーカシング移動量の比率をズームステップごとに最適化することによって、近距離性能が良好であり、レンズ系を小型化でき、広角高変倍で大型のイメージセンサーにも対応可能なズームレンズ系を達成している。
【００３４】
本実施形態のズームレンズ系は、その数値実施例３では、短焦点距離端から長焦点距離端までのズーミング域に応じて、第２Ｂレンズ群Ｇ２Ｂが単独でフォーカシングを実行するズーミング域と、第３レンズ群Ｇ３が単独でフォーカシングを実行するズーミング域と、第２Ｂレンズ群Ｇ２Ｂと第３レンズ群Ｇ３の双方でフォーカシングを実行するズーミング域とを切り替えている。そして第２Ｂレンズ群Ｇ２Ｂと第３レンズ群Ｇ３の双方でフォーカシングを実行するズーミング域では、第２Ｂレンズ群Ｇ２Ｂと第３レンズ群Ｇ３のフォーカシング移動量の比率をズームステップごとに最適化することによって、近距離性能が良好であり、レンズ系を小型化でき、広角高変倍で大型のイメージセンサーにも対応可能なズームレンズ系を達成している。
【００３５】
本明細書で「フォーカシング移動量」とは、無限遠にある物体に合焦している状態から任意の有限距離にある物体に合焦させるときのフォーカスレンズ群の移動距離[mm]を意味している。
【００３６】
より具体的には、短焦点距離端かつ所定の物体距離において、第２Ｂレンズ群Ｇ２Ｂのフォーカシング移動量を第３レンズ群Ｇ３のフォーカシング移動量よりも小さく設定し、その移動量比が条件式（１）を満足するようにしている。条件式（１）を満足することで、短焦点距離端において主に第３レンズ群Ｇ３でフォーカシングを行うので近接合焦時（近距離物体に合焦した時、以下同じ）の光学性能が良好になり、また短焦点距離端における第２Ｂレンズ群Ｇ２Ｂのフォーカシング移動量を抑えてレンズ系を小型化することができる。
条件式（１）の上限を超えると、短焦点距離端において正のピント感度を有する第３レンズ群Ｇ３のフォーカシング移動量に対して負のピント感度を有する第２Ｂレンズ群Ｇ２Ｂのフォーカシング移動量が同じ方向に大きくなりすぎて、近接合焦時の光学性能が悪化するとともに、レンズ系の小型化が困難になる。
条件式（１）の下限を超えると、短焦点距離端における第３レンズ群Ｇ３のフォーカシング移動量に対して第２Ｂレンズ群Ｇ２Ｂのフォーカシング移動量が逆方向に大きくなりすぎて、同様に近接合焦時の光学性能が悪化してしまう。
【００３７】
条件式（２）は、ズーミングによる焦点距離変化に応じて第２Ｂレンズ群Ｇ２Ｂと第３レンズ群Ｇ３のフォーカシング移動量比を変化させる場合に、中間焦点距離ないし長焦点距離端の所定の焦点距離かつ所定の物体距離において第２Ｂレンズ群Ｇ２Ｂと第３レンズ群Ｇ３とのフォーカシング移動量比が満足すべき条件を表している。条件式（２）を満足することで、第２Ｂレンズ群Ｇ２Ｂのフォーカシング移動量と第３レンズ群Ｇ３のフォーカシング移動量とのバランスが好適になり、近接合焦時の光学性能を良好にするとともに、レンズ系を小型化することができる。
条件式（２）の上限を超えると、中間焦点距離ないし長焦点距離端におけるフォーカシング時に、ピント感度が逆である第２Ｂレンズ群Ｇ２と第３レンズ群Ｇ３が同じ方向に移動することになるため、第３レンズ群のフォーカス移動量の増大を招くことに加え、近接合焦時の光学性能が悪化してしまう。
条件式（２）の下限を超えると、中間焦点距離ないし長焦点距離端におけるフォーカシング時に、第２Ｂレンズ群Ｇ２のフォーカシング移動量に対して第３レンズ群Ｇ３のフォーカシング移動量が逆方向に大きくなりすぎて、近接合焦時の光学性能が悪化してしまう。
【００３８】
中間焦点距離ｆｍ（ｆｍ＝（ｆｗ・ｆｔ）1/2、ｆｗは短焦点距離端における全系の焦点距離、ｆｔは長焦点距離端における全系の焦点距離）から長焦点距離端までのズーミング域では、第３レンズ群Ｇ３だけで主にフォーカシングを行うと、近距離性能の劣化が大きくなるとともに、第３レンズ群Ｇ３の移動量が大きくなりすぎてレンズ系の小型化が困難になる。そこで中間焦点距離から長焦点距離端までのズーミング域では、第２Ｂレンズ群と第３レンズ群の双方でフォーカシングを行うことが好ましい。
【００３９】
また、第２Ｂレンズ群Ｇ２Ｂのフォーカシング移動量と第３レンズ群Ｇ３のフォーカシング移動量の比率を物体距離に応じて変動させることで、近接合焦時の光学性能を良化させることができる。
【００４０】
条件式（３）は、第２レンズ群Ｇ２の焦点距離と、第２Ｂレンズ群Ｇ２Ｂの焦点距離との比を規定している。条件式（３）を満足することで、フォーカスレンズ群である第２Ｂレンズ群Ｇ２Ｂの屈折力が適切となり、合焦時の収差変動を抑えるとともに、フォーカス機構系の負担を軽減することができる。
条件式（３）の上限を超えると、フォーカスレンズ群である第２Ｂレンズ群Ｇ２Ｂの屈折力が弱くなりすぎて、第２Ｂレンズ群Ｇ２Ｂのフォーカシング移動量が大きくなり、フォーカス機構系を含むレンズ系が大型化する。
条件式（３）の下限を超えると、フォーカスレンズ群である第２Ｂレンズ群Ｇ２Ｂの屈折力が強くなりすぎて、第２Ｂレンズ群Ｇ２Ｂのフォーカシング移動量は小さくできるが、無限遠物体から有限距離物体へ合焦した場合の性能変動が大きくなる。
【００４１】
上述のように、フォーカスレンズ群である第２Ｂレンズ群Ｇ２Ｂは、全数値実施例１−５を通じて、１枚の負レンズ（負単レンズ）２５で構成されている。これにより、フォーカスレンズ群である第２Ｂレンズ群Ｇ２Ｂのさらなる小型化と軽量化を達成することができる。
【００４２】
条件式（４）は、第２Ｂレンズ群Ｇ２Ｂを負単レンズ２５で構成したとき、その負単レンズ２５のシェーピングファクター（物体側の面の曲率半径と像側の面の曲率半径との比）を規定している。条件式（４）を満足することで、光学性能の近距離変化を少なくすることができる。
条件式（４）の上限を超えると、フォーカスレンズである負レンズ２５の物体側の面と像側の面の曲率が近くなって屈折力が弱くなる結果、フォーカシング移動量が大きくなる。
条件式（４）の下限を超えると、フォーカスレンズである負レンズ２５の物体側の面の曲率がきつくなりすぎて、被写体距離による収差変動が大きくなる。
【００４３】
条件式（５）は、第２Ｂレンズ群Ｇ２Ｂを負単レンズ２５で構成したとき、その負単レンズ２５のｄ線に対するアッベ数を規定している。条件式（５）を満足することで、無限遠物体から有限距離物体へ合焦した場合の収差変動を抑えることができる。
条件式（５）の下限を超えると、合焦時の倍率色収差の変動が大きくなる。
【００４４】
条件式（６）は、第２Ｂレンズ群Ｇ２Ｂの最も物体側の面から最も像側の面迄の光軸上の距離（第２Ｂレンズ群Ｇ２Ｂの光軸上の厚み）と、第２レンズ群Ｇ２の最も物体側の面から最も像側の面迄の光軸上の距離（第２レンズ群Ｇ２の光軸上の厚み）との比を規定している。条件式（６）を満足することで、フォーカスレンズ群である第２Ｂレンズ群Ｇ２Ｂをより軽量化することができる。
条件式（６）の上限を超えると、フォーカスレンズ群である第２Ｂレンズ群Ｇ２Ｂの軽量化が十分でなく、フォーカス機構系の負担が大きくなる。
【００４５】
条件式（７）は、短焦点距離端から長焦点距離端への変倍に際する第３レンズ群Ｇ３の横倍率（結像倍率）の変化を規定している。条件式（７）を満足することで、レンズ系の小型化と高変倍化を同時に達成することができる。
条件式（７）の上限を超えると、高変倍化には有利となるが、変倍時のレンズ射出角の変動が大きくなる。
条件式（７）の下限を超えると、第３レンズ群Ｇ３の変倍作用が少なくなるため、第２レンズ群Ｇ２の変倍負担が増えて、レンズ系を小型化することができない。
【００４６】
上述のように、本実施形態のズームレンズ系は、全数値実施例１−５を通じて、第２Ａレンズ群Ｇ２Ａを、正レンズ２１、正レンズ２２、負レンズ２３、及び正レンズ２４の４枚のレンズで構成している。これにより、本実施形態のような負レンズ群先行型（いわゆるネガティブリード型）のレンズタイプにおいて、ズーム全域での軸外コマフレアを小さくすることができる。
【００４７】
上述のように、本実施形態のズームレンズ系は、全数値実施例１−５を通じて、第１レンズ群Ｇ１を、負レンズ１１、その両面が非球面である負レンズ１２、及び正レンズ１３の３枚のレンズで構成している。負レンズ１２は、そのいずれか１面のみを非球面としてもよい。このように、第１レンズ群Ｇ１内に少なくとも１面が非球面である負レンズ１２を配置することで、ズームレンズ系の広角化と大口径化を図ることができ、短焦点距離端における非点収差と歪曲収差を低減することができる。
条件式（８）は、第１レンズ群Ｇ１を、負レンズ１１、少なくとも１面が非球面である負レンズ１２、及び正レンズ１３の３枚のレンズで構成した上で、第１レンズ群Ｇ１の焦点距離と、第１レンズ群Ｇ１中の非球面レンズ１２の焦点距離との比を規定している。条件式（８）を満足することで、低コストで温度変化時の性能劣化の少ないズームレンズ系を得ることができる。
条件式（８）の上限を超えると、負レンズ１２の負の屈折力が強くなりすぎて温度変化時の性能劣化が大きくなる。
条件式（８）の下限を超えると、負レンズ１２が正の屈折力を持つこととなるため、負レンズ１２より物体側に位置する負レンズ１１の負の屈折力を強くしなければならず、主に短焦点距離端での軸外収差の補正が困難となる。
【００４８】
上述のように、フォーカスレンズ群である第３レンズ群Ｇ３は、全数値実施例１−５を通じて、１枚の正レンズ（正単レンズ）３１で構成されている。
条件式（９）は、第３レンズ群Ｇ３を正単レンズ３１で構成したとき、その正単レンズ３１の比重を規定している。条件式（９）を満足するような軽量の正単レンズ３１を用いることで、フォーカスレンズ群である第３レンズ群Ｇ３のさらなる小型化と軽量化を達成することができる。
条件式（９）の上限を超えると、フォーカスレンズ群である第３レンズ群Ｇ３の小型化と軽量化が不十分となる。
【実施例】
【００４９】
次に具体的な数値実施例を示す。諸収差図及び表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、rは曲率半径、ｄはレンズ厚またはレンズ間隔、N(d)はｄ線に対する屈折率、νｄはｄ線に対するアッベ数、「E-a」は「×10-a」を示す。長さの単位は[mm]である。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００５０】
［数値実施例１］
図１〜図４と表１〜表６は、本発明によるズームレンズ系の数値実施例１を示している。図１は、短焦点距離端における無限遠合焦時のレンズ構成図である。図２、図３、図４はそれぞれ、短焦点距離端、中間焦点距離、長焦点距離端それぞれの無限遠合焦時の諸収差図である。表１は面データ、表２は各種データ、表３は非球面データ、表４はレンズ群データ、表５は物体距離ごとの各レンズ群の可変間隔データ、表６は物体距離ごとの各レンズ群のフォーカシング移動量である。
【００５１】
本数値実施例１のズームレンズ系は、物体側から順に、負の屈折力を持つ第１レンズ群Ｇ１、正の屈折力を持つ第２レンズ群Ｇ２、及び正の屈折力を持つ第３レンズ群Ｇ３で構成されている。第３レンズ群Ｇ３の後方（像面Ｉとの間）には、光学フィルタＯＰが配置されている。
【００５２】
第１レンズ群Ｇ１（面番号１から６）は、物体側から順に、物体側に凸の負メニスカスレンズ１１、物体側に凸の負メニスカスレンズ１２、及び物体側に凸の正メニスカスレンズ１３で構成されている。負メニスカスレンズ１２は、その両面が非球面である。
【００５３】
第２レンズ群Ｇ２（面番号８から１６）は、物体側から順に、正の屈折力を持つ第２Ａレンズ群Ｇ２Ａ（面番号８から１４）、及び負の屈折力を持つ第２Ｂレンズ群Ｇ２Ｂ（面番号１５から１６）で構成されている。
第２Ａレンズ群Ｇ２Ａは、物体側から順に、両凸正レンズ２１、物体側から順に位置する両凸正レンズ２２と両凹負レンズ２３の接合レンズ、及び像側に凸の正メニスカスレンズ２４で構成されている。両凸正レンズ２１は、その両面が非球面である。
第２Ｂレンズ群Ｇ２Ｂは、１枚の両凹負レンズ２５で構成されている。
第１レンズ群Ｇ１と第２レンズ群Ｇ２の間に位置する絞りＳ（面番号７）は、第２レンズ群Ｇ２と一体に移動する。
【００５４】
第３レンズ群Ｇ３（面番号１７から１８）は、１枚の両凸正レンズ３１で構成されている。両凸正レンズ３１は、その両面が非球面である。
第３レンズ群Ｇ３（両凸正レンズ３１）の後方（像面Ｉとの間）に配置された光学フィルタＯＰ（面番号１９から２０）は、ローパスフィルタ、赤外カットフィルタなどのフィルタ類と、イメージセンサーのカバーガラスとを光学的に等価な１枚の平行平面板に置き換えたものである。
【００５５】
（表１）
面データ
面番号          r          d          N(d)        νｄ
1           225.037      1.200      1.80420       46.5
2            15.089      4.540
3*           35.777      1.400      1.54358       55.7
4*           25.707      0.100
5            23.830      2.897      1.84666       23.8
6            56.890        d6
7絞            ∞        0.200
8*           14.282      3.400      1.69350       53.2
9*          -36.678      0.100
10           23.448      3.400      1.61800       63.4
11          -23.448      0.800      1.67270       32.2
12           10.398      1.732
13          -65.570      1.516      1.72916       54.7
14          -17.504      0.867
15         -113.940      0.800      1.69680       55.5
16           20.598       d16
17*         104.882      5.377      1.54358       55.7
18*         -38.373       d18
19             ∞        2.000      1.51680       64.2
20             ∞          -
＊は回転対称非球面である。
（表２）
各種データ
ズーム比（変倍比）    3.30
短焦点距離端          中間焦点距離          長焦点距離端
FNO.            3.6                   5.1                   5.8
f             16.22                 28.95                 53.51
W              47.1                  26.7                  15.0
Y             14.20                 14.20                 14.20
fB            4.181                 4.181                 4.181
L             73.23                 72.49                 86.00
d6           24.748                10.693                 3.022
d16           6.268                21.174                47.468
d18           7.703                 6.114                 1.000
（表３）
非球面データ（表示していない非球面係数は0.00である）
面番号   K            A4             A6             A8
3      0.000    -0.6506E-04     0.2633E-06    -0.6673E-09
4      0.000    -0.8622E-04     0.3361E-06    -0.1316E-08
8     -1.654     0.2252E-04     0.7673E-07
9      0.000     0.5473E-04    -0.5955E-07
17     0.000     0.1953E-04    -0.5202E-07     0.7721E-10
18     0.000     0.3153E-04    -0.1037E-06     0.1448E-09
（表４）
レンズ群データ
群          始面          焦点距離
1              1            -31.43
2              8             23.87
(2A            8            16.372)
(2B           15           -24.974)
3             17             52.38
（表５）
可変間隔データ
短焦点距離端          中間焦点距離          長焦点距離端
物体距離         無限遠                無限遠                無限遠
d6               24.748                10.693                 3.022
d14               0.867                 0.867                 0.867
d16               6.268                21.174                47.468
d18               7.703                 6.114                 1.000
短焦点距離端          中間焦点距離          長焦点距離端
物体距離          ３ｍ                  ３ｍ                  ３ｍ
d6               24.748                10.693                 3.022
d14               0.858                 0.917                 0.953
d16               6.056                20.871                46.309
d18               7.924                 6.367                 2.073
短焦点距離端          中間焦点距離          長焦点距離端
物体距離          １ｍ                  １ｍ                  １ｍ
d6               24.748                10.693                 3.022
d14               0.841                 1.017                 1.113
d16               5.648                20.274                44.152
d18               8.349                 6.864                 4.070
短焦点距離端          中間焦点距離          長焦点距離端
物体距離          0.5ｍ                 0.5ｍ                 0.5ｍ
d6               24.748                10.693                 3.022
d14               0.817                 1.161                 1.328
d16               5.072                19.406                41.243
d18               8.949                 7.588                 6.764
短焦点距離端          中間焦点距離          長焦点距離端
物体距離         0.15ｍ                 0.2ｍ                 0.3ｍ
d6               24.748                10.693                 3.022
d14               0.723                 1.568                 1.581
d16               2.806                16.967                37.829
d18              11.309                 9.620                 9.925
（表６）
フォーカシング時の各レンズ群の移動量（像側に向かって移動する方向を正とし、物体側に向かって移動する方向を負とする）
短焦点距離端          中間焦点距離          長焦点距離端
物体距離          ３ｍ                  ３ｍ                  ３ｍ
第１レンズ群      0.000                 0.000                 0.000
第２Ａレンズ群    0.000                 0.000                 0.000
第２Ｂレンズ群   -0.009                 0.050                 0.086
第３レンズ群     -0.221                -0.253                -1.073
短焦点距離端          中間焦点距離          長焦点距離端
物体距離          １ｍ                  １ｍ                  １ｍ
第１レンズ群      0.000                 0.000                 0.000
第２Ａレンズ群    0.000                 0.000                 0.000
第２Ｂレンズ群   -0.026                 0.150                 0.246
第３レンズ群     -0.646                -0.750                -3.070
短焦点距離端          中間焦点距離          長焦点距離端
物体距離          0.5ｍ                 0.5ｍ                 0.5ｍ
第１レンズ群      0.000                 0.000                 0.000
第２Ａレンズ群    0.000                 0.000                 0.000
第２Ｂレンズ群   -0.050                 0.294                 0.461
第３レンズ群     -1.246                -1.474                -5.764
短焦点距離端          中間焦点距離          長焦点距離端
物体距離          0.15ｍ                0.2ｍ                 0.3ｍ
第１レンズ群      0.000                 0.000                 0.000
第２Ａレンズ群    0.000                 0.000                 0.000
第２Ｂレンズ群   -0.144                 0.701                 0.714
第３レンズ群     -3.606                -3.506                -8.925
【００５６】
［数値実施例２］
図５〜図８と表７〜表１２は、本発明によるズームレンズ系の数値実施例２を示している。図５は、短焦点距離端における無限遠合焦時のレンズ構成図である。図６、図７、図８はそれぞれ、短焦点距離端、中間焦点距離、長焦点距離端それぞれの無限遠合焦時の諸収差図である。表７は面データ、表８は各種データ、表９は非球面データ、表１０はレンズ群データ、表１１は物体距離ごとの各レンズ群の可変間隔データ、表１２は物体距離ごとの各レンズ群のフォーカシング移動量である。
【００５７】
この数値実施例２のレンズ構成は、第３レンズ群Ｇ３と像面Ｉの間に、光軸方向の位置（像面Ｉとの距離）が固定された第４レンズ群Ｇ４（面番号１９から２０）が位置している点を除き、数値実施例１のレンズ構成と同様である。第４レンズ群Ｇ４は、１枚の像側に凸の負メニスカスレンズ４１からなる。負メニスカスレンズ４１は、その像側の面が非球面である。
【００５８】
（表７）
面データ
面番号          r          d          N(d)        νｄ
1           500.000      1.200      1.80420       46.5
2            15.720      4.371
3*           32.168      1.400      1.54358       55.7
4*           24.400      0.100
5            24.846      2.908      1.84666       23.8
6            62.170        d6
7絞            ∞        0.200
8*           14.679      3.400      1.69350       53.2
9*          -39.498      0.100
10           23.683      3.400      1.61800       63.4
11          -30.733      0.800      1.68893       31.2
12           11.070      1.604
13         -131.215      1.618      1.72916       54.7
14          -17.776      1.065
15          -87.264      0.800      1.69680       55.5
16           19.468       d16
17*         178.487      5.357      1.54358       55.7
18*         -30.729       d18
19          -42.495      1.600      1.54358       55.7
20*         -53.879      0.200
21             ∞        2.000      1.51680       64.2
22             ∞          -
＊は回転対称非球面である。
（表８）
各種データ
ズーム比（変倍比）    3.30
短焦点距離端          中間焦点距離          長焦点距離端
FNO.            3.6                   5.0                   5.8
f             16.22                 28.69                 53.51
W              47.1                  26.4                  14.8
Y             14.20                 14.20                 14.20
fB            3.182                 3.182                 3.182
L             74.42                 72.89                 86.00
d6           25.520                11.262                 2.949
d16           6.112                20.345                45.748
d18           7.483                 5.977                 2.000
（表９）
非球面データ（表示していない非球面係数は0.00である）
面番号   K            A4             A6             A8
3      0.000    -0.8077E-04     0.2678E-06    -0.6677E-09
4      0.000    -0.1013E-03     0.3274E-06    -0.1139E-08
8     -1.495     0.1843E-04     0.1034E-06
9      0.000     0.5859E-04    -0.4389E-07
17     0.000     0.1899E-04    -0.9932E-07     0.2394E-09
18     0.000     0.3258E-04    -0.1799E-06     0.4226E-09
20     0.000     0.8034E-06     0.1338E-06    -0.4239E-09
（表１０）
レンズ群データ
群          始面          焦点距離
1              1            -31.84
2              8             23.92
(2A            8            15.905)
(2B           15           -22.773)
3             17             48.67
4             19           -389.27
（表１１）
可変間隔データ
短焦点距離端          中間焦点距離          長焦点距離端
物体距離         無限遠                無限遠                無限遠
d6               25.520                11.262                 2.949
d14               1.065                 1.065                 1.065
d16               6.112                20.345                45.748
d18               7.483                 5.977                 2.000
短焦点距離端          中間焦点距離          長焦点距離端
物体距離          ３ｍ                  ３ｍ                  ３ｍ
d6               25.520                11.262                 2.949
d14               1.065                 1.103                 1.113
d16               5.939                20.043                44.168
d18               7.656                 6.241                 3.532
短焦点距離端          中間焦点距離          長焦点距離端
物体距離          １ｍ                  １ｍ                  １ｍ
d6               25.520                11.262                 2.949
d14               1.065                 1.182                 1.199
d16               5.606                19.449                41.552
d18               7.989                 6.756                 6.062
短焦点距離端          中間焦点距離          長焦点距離端
物体距離          0.5ｍ                 0.5ｍ                 0.5ｍ
d6               25.520                11.262                 2.949
d14               1.065                 1.294                 1.319
d16               5.130                18.591                38.457
d18               8.465                 7.502                 9.037
短焦点距離端          中間焦点距離          長焦点距離端
物体距離         0.15ｍ                 0.2ｍ                 0.3ｍ
d6               25.520                11.262                 2.949
d14               1.065                 1.603                 1.485
d16               3.215                16.218                35.265
d18              10.380                 9.566                12.063
（表１２）
フォーカシング時の各レンズ群の移動量（像側に向かって移動する方向を正とし、物体側に向かって移動する方向を負とする）
短焦点距離端          中間焦点距離          長焦点距離端
物体距離          ３ｍ                  ３ｍ                  ３ｍ
第１レンズ群      0.000                 0.000                 0.000
第２Ａレンズ群    0.000                 0.000                 0.000
第２Ｂレンズ群    0.000                 0.038                 0.048
第３レンズ群     -0.173                -0.264                -1.532
短焦点距離端          中間焦点距離          長焦点距離端
物体距離          １ｍ                  １ｍ                  １ｍ
第１レンズ群      0.000                 0.000                 0.000
第２Ａレンズ群    0.000                 0.000                 0.000
第２Ｂレンズ群    0.000                 0.117                 0.134
第３レンズ群     -0.506                -0.779                -4.062
短焦点距離端          中間焦点距離          長焦点距離端
物体距離          0.5ｍ                 0.5ｍ                 0.5ｍ
第１レンズ群      0.000                 0.000                 0.000
第２Ａレンズ群    0.000                 0.000                 0.000
第２Ｂレンズ群    0.000                 0.229                 0.254
第３レンズ群     -0.982                -1.525                -7.037
短焦点距離端          中間焦点距離          長焦点距離端
物体距離          0.15ｍ                0.2ｍ                 0.3ｍ
第１レンズ群      0.000                 0.000                 0.000
第２Ａレンズ群    0.000                 0.000                 0.000
第２Ｂレンズ群    0.000                 0.538                 0.420
第３レンズ群     -2.897                -3.589               -10.063
【００５９】
［数値実施例３］
図９〜図１２と表１３〜表１８は、本発明によるズームレンズ系の数値実施例３を示している。図９は、短焦点距離端における無限遠合焦時のレンズ構成図である。図１０、図１１、図１２はそれぞれ、短焦点距離端、中間焦点距離、長焦点距離端それぞれの無限遠合焦時の諸収差図である。表１３は面データ、表１４は各種データ、表１５は非球面データ、表１６はレンズ群データ、表１７は物体距離ごとの各レンズ群の可変間隔データ、表１８は物体距離ごとの各レンズ群のフォーカシング移動量である。
【００６０】
この数値実施例３のレンズ構成は、数値実施例１のレンズ構成と同様である。
【００６１】
（表１３）
面データ
面番号          r          d          N(d)        νｄ
1           441.134      1.200      1.80420       46.5
2            15.334      4.334
3*           36.506      1.400      1.54358       55.7
4*           26.035      0.100
5            24.777      2.877      1.84666       23.8
6            66.693        d6
7絞            ∞        0.200
8*           13.665      3.378      1.69350       53.2
9*          -34.783      0.100
10           24.201      2.662      1.61800       63.4
11          -26.411      0.800      1.67270       32.2
12           10.345      2.500
13          -42.413      1.569      1.72916       54.7
14          -16.112      1.266
15         -331.190      0.800      1.69680       55.5
16           19.092       d16
17*         184.462      5.243      1.54358       55.7
18*         -33.706       d18
19             ∞        2.000      1.51680       64.2
20             ∞          -
＊は回転対称非球面である。
（表１４）
各種データ
ズーム比（変倍比）    3.30
短焦点距離端          中間焦点距離          長焦点距離端
FNO.            3.6                   5.2                   5.8
f             16.22                 30.00                 53.51
W              46.7                  25.7                  15.2
Y             14.20                 14.20                 14.20
fB            4.182                 4.182                 4.182
L             71.60                 72.26                 85.00
d6           23.826                 9.882                 2.812
d16           4.338                21.630                46.579
d18           8.823                 6.135                 1.000
（表１５）
非球面データ（表示していない非球面係数は0.00である）
面番号   K            A4             A6             A8
3      0.000    -0.8166E-04     0.4355E-06    -0.1322E-08
4      0.000    -0.1025E-03     0.4827E-06    -0.1870E-08
8     -2.446     0.7078E-04    -0.1802E-06
9      0.000     0.7306E-04    -0.2240E-06
17     0.000     0.5793E-05    -0.9687E-09     0.1855E-10
18     0.000     0.1584E-04    -0.4002E-07     0.7153E-10
（表１６）
レンズ群データ
群          始面          焦点距離
1              1            -31.39
2              8             23.80
(2A            8            16.789)
(2B           15           -25.882)
3             17             52.87
（表１７）
可変間隔データ
短焦点距離端          中間焦点距離          長焦点距離端
物体距離         無限遠                無限遠                無限遠
d6               23.826                 9.882                 2.812
d14               1.266                 1.266                 1.266
d16               4.338                21.630                46.579
d18               8.823                 6.135                 1.000
短焦点距離端          中間焦点距離          長焦点距離端
物体距離          ３ｍ                  ３ｍ                  ３ｍ
d6               23.826                 9.882                 2.812
d14               1.266                 1.337                 1.402
d16               4.158                21.400                46.443
d18               9.003                 6.294                 1.000
短焦点距離端          中間焦点距離          長焦点距離端
物体距離          １ｍ                  １ｍ                  １ｍ
d6               23.826                 9.882                 2.812
d14               1.266                 1.478                 1.674
d16               3.809                20.945                46.171
d18               9.352                 6.608                 1.000
短焦点距離端          中間焦点距離          長焦点距離端
物体距離          0.5ｍ                 0.5ｍ                 0.5ｍ
d6               23.826                 9.882                 2.812
d14               1.266                 1.688                 2.086
d16               3.309                20.270                45.759
d18               9.852                 7.073                 1.000
短焦点距離端          中間焦点距離          長焦点距離端
物体距離         0.15ｍ                 0.2ｍ                 0.3ｍ
d6               23.826                 9.882                 2.812
d14               1.266                 2.296                 2.643
d16               1.277                18.309                45.202
d18              11.884                 8.426                 1.000
（表１８）
フォーカシング時の各レンズ群の移動量（像側に向かって移動する方向を正とし、物体側に向かって移動する方向を負とする）
短焦点距離端          中間焦点距離          長焦点距離端
物体距離          ３ｍ                  ３ｍ                  ３ｍ
第１レンズ群      0.000                 0.000                 0.000
第２Ａレンズ群    0.000                 0.000                 0.000
第２Ｂレンズ群    0.000                 0.071                 0.136
第３レンズ群     -0.180                -0.159                 0.000
短焦点距離端          中間焦点距離          長焦点距離端
物体距離          １ｍ                  １ｍ                  １ｍ
第１レンズ群      0.000                 0.000                 0.000
第２Ａレンズ群    0.000                 0.000                 0.000
第２Ｂレンズ群    0.000                 0.212                 0.408
第３レンズ群     -0.529                -0.473                 0.000
短焦点距離端          中間焦点距離          長焦点距離端
物体距離          0.5ｍ                 0.5ｍ                 0.5ｍ
第１レンズ群      0.000                 0.000                 0.000
第２Ａレンズ群    0.000                 0.000                 0.000
第２Ｂレンズ群    0.000                 0.422                 0.820
第３レンズ群     -1.029                -0.938                 0.000
短焦点距離端          中間焦点距離          長焦点距離端
物体距離          0.15ｍ                0.2ｍ                 0.3ｍ
第１レンズ群      0.000                 0.000                 0.000
第２Ａレンズ群    0.000                 0.000                 0.000
第２Ｂレンズ群    0.000                 1.030                 1.377
第３レンズ群     -3.061                -2.291                 0.000
【００６２】
［数値実施例４］
図１３〜図１６と表１９〜表２４は、本発明によるズームレンズ系の数値実施例４を示している。図１３は、短焦点距離端における無限遠合焦時のレンズ構成図である。図１４、図１５、図１６はそれぞれ、短焦点距離端、中間焦点距離、長焦点距離端それぞれの無限遠合焦時の諸収差図である。表１９は面データ、表２０は各種データ、表２１は非球面データ、表２２はレンズ群データ、表２３は物体距離ごとの各レンズ群の可変間隔データ、表２４は物体距離ごとの各レンズ群のフォーカシング移動量である。
【００６３】
この数値実施例４のレンズ構成は、第３レンズ群Ｇ３の正レンズ３１が像側に凸の正メニスカスレンズである点を除き、数値実施例１と同様である。
【００６４】
（表１９）
面データ
面番号          r          d          N(d)        νｄ
1           232.866      1.200      1.80420       46.5
2            15.783      5.522
3*           55.984      1.400      1.54358       55.7
4*           31.854      0.109
5            37.066      2.557      1.84666       23.8
6           241.925        d6
7絞            ∞        0.200
8*           14.361      3.458      1.69350       53.2
9*          -31.575      0.100
10           28.472      2.793      1.48749       70.4
11          -42.946      2.000      1.69895       30.0
12           11.207      2.353
13          -55.437      1.614      1.69680       55.5
14          -15.296      1.164
15         -263.247      0.800      1.72916       54.7
16           23.246       d16
17*        -283.576      4.922      1.54358       55.7
18*         -28.643       d18
19             ∞        2.000      1.51680       64.2
20             ∞          -
＊は回転対称非球面である。
（表２０）
各種データ
ズーム比（変倍比）    3.30
短焦点距離端          中間焦点距離          長焦点距離端
FNO.            3.6                   5.2                   5.8
f             16.22                 29.74                 53.51
W              46.0                  25.4                  14.9
Y             14.20                 14.20                 14.20
fB            3.181                 3.181                 3.181
L             73.96                 73.72                 85.00
d6           24.001                 9.960                 2.082
d16           4.388                22.117                46.545
d18          10.202                 6.266                 1.000
（表２１）
非球面データ（表示していない非球面係数は0.00である）
面番号   K            A4             A6             A8
3      0.000    -0.1252E-03     0.4141E-06    -0.1069E-08
4      0.000    -0.1457E-03     0.4617E-06    -0.1260E-08
8     -1.456     0.2128E-04     0.7923E-07
9      0.000     0.6995E-04    -0.1187E-06
17     0.000     0.1646E-05    -0.5232E-07     0.4156E-10
18     0.000     0.2021E-04    -0.8821E-07     0.8400E-10
（表２２）
レンズ群データ
群          始面          焦点距離
1              1            -31.03
2              8             24.01
(2A            8            17.744)
(2B           15           -29.260)
3             17             58.22
（表２３）
可変間隔データ
短焦点距離端          中間焦点距離          長焦点距離端
物体距離         無限遠                無限遠                無限遠
d6               24.001                 9.960                 2.082
d14               1.164                 1.164                 1.164
d16               4.388                22.117                46.545
d18              10.202                 6.266                 1.000
短焦点距離端          中間焦点距離          長焦点距離端
物体距離          ３ｍ                  ３ｍ                  ３ｍ
d6               24.001                 9.960                 2.082
d14               1.164                 1.247                 1.310
d16               4.188                21.870                46.106
d18              10.402                 6.430                 1.293
短焦点距離端          中間焦点距離          長焦点距離端
物体距離          １ｍ                  １ｍ                  １ｍ
d6               24.001                 9.960                 2.082
d14               1.164                 1.410                 1.603
d16               3.799                21.381                45.227
d18              10.791                 6.756                 1.879
短焦点距離端          中間焦点距離          長焦点距離端
物体距離          0.5ｍ                 0.5ｍ                 0.5ｍ
d6               24.001                 9.960                 2.082
d14               1.164                 1.651                 2.043
d16               3.246                20.657                43.908
d18               11.344                7.239                 2.758
短焦点距離端          中間焦点距離          長焦点距離端
物体距離          0.15ｍ                0.2ｍ                 0.3ｍ
d6               24.001                 9.960                 2.082
d14               1.164                 2.352                 2.630
d16               1.026                18.555                42.148
d18              13.564                 8.640                 3.931
（表２４）
フォーカシング時の各レンズ群の移動量（像側に向かって移動する方向を正とし、物体側に向かって移動する方向を負とする）
短焦点距離端          中間焦点距離          長焦点距離端
物体距離          ３ｍ                  ３ｍ                  ３ｍ
第１レンズ群      0.000                 0.000                 0.000
第２Ａレンズ群    0.000                 0.000                 0.000
第２Ｂレンズ群    0.000                 0.083                 0.146
第３レンズ群     -0.200                -0.164                -0.293
短焦点距離端          中間焦点距離          長焦点距離端
物体距離          １ｍ                  １ｍ                  １ｍ
第１レンズ群      0.000                 0.000                 0.000
第２Ａレンズ群    0.000                 0.000                 0.000
第２Ｂレンズ群    0.000                 0.246                 0.439
第３レンズ群     -0.589                -0.490                -0.879
短焦点距離端          中間焦点距離          長焦点距離端
物体距離          0.5ｍ                 0.5ｍ                 0.5ｍ
第１レンズ群      0.000                 0.000                 0.000
第２Ａレンズ群    0.000                 0.000                 0.000
第２Ｂレンズ群    0.000                 0.487                 0.879
第３レンズ群     -1.142                -0.973                -1.758
短焦点距離端          中間焦点距離          長焦点距離端
物体距離          0.15ｍ                0.2ｍ                 0.3ｍ
第１レンズ群      0.000                 0.000                 0.000
第２Ａレンズ群    0.000                 0.000                 0.000
第２Ｂレンズ群    0.000                 1.188                 1.466
第３レンズ群     -3.362                -2.374                -2.931
【００６５】
［数値実施例５］
図１７〜図２０と表２５〜表３０は、本発明によるズームレンズ系の数値実施例５を示している。図１７は、短焦点距離端における無限遠合焦時のレンズ構成図である。図１８、図１９、図２０はそれぞれ、短焦点距離端、中間焦点距離、長焦点距離端それぞれの無限遠合焦時の諸収差図である。表２５は面データ、表２６は各種データ、表２７は非球面データ、表２８はレンズ群データ、表２９は物体距離ごとの各レンズ群の可変間隔データ、表３０は物体距離ごとの各レンズ群のフォーカシング移動量である。
【００６６】
この数値実施例５のレンズ構成は、数値実施例１のレンズ構成と同様である。
【００６７】
（表２５）
面データ
面番号          r          d          N(d)        νｄ
1           500.000      1.200      1.80420       46.5
2            15.945      5.228
3*           42.360      1.400      1.54358       55.7
4*           27.963      0.105
5            30.983      2.617      1.84666       23.8
6            98.717        d6
7絞            ∞        0.200
8*           13.791      3.542      1.69350       53.2
9*          -36.511      0.100
10           27.027      3.180      1.61800       63.4
11          -29.985      1.200      1.67270       32.2
12           10.191      1.994
13          -37.815      1.477      1.72916       54.7
14          -16.106      2.299
15         -503.778      0.800      1.77250       49.6
16           24.493       d16
17*         335.379      5.187      1.54358       55.7
18*         -28.721       d18
19             ∞        2.000      1.51680       64.2
20             ∞          -
＊は回転対称非球面である。
（表２６）
各種データ
ズーム比（変倍比）    3.30
短焦点距離端          中間焦点距離          長焦点距離端
FNO.            2.9                   4.1                   5.7
f             16.22                 29.34                 53.51
W              47.1                  25.9                  15.0
Y             14.20                 14.20                 14.20
fB            3.182                 3.182                 3.182
L             72.89                 72.25                 85.00
d6           23.448                 9.930                 2.514
d16           7.235                21.860                45.775
d18           6.500                 4.750                 1.000
（表２７）
非球面データ（表示していない非球面係数は0.00である）
面番号   K            A4             A6             A8
3      0.000    -0.1206E-03     0.3393E-06    -0.7784E-09
4      0.000    -0.1400E-03     0.4050E-06    -0.1029E-08
8     -1.042     0.2580E-05     0.1078E-06
9      0.000     0.6311E-04    -0.9766E-07
17     0.000    -0.2043E-05     0.3878E-07    -0.1706E-09
18     0.000     0.1416E-04     0.1754E-07    -0.1572E-09
（表２８）
レンズ群データ
群          始面          焦点距離
1              1            -29.65
2              8             22.80
(2A            8            17.657)
(2B           15           -30.216)
3             17             48.91
（表２９）
可変間隔データ
短焦点距離端          中間焦点距離          長焦点距離端
物体距離         無限遠                無限遠                無限遠
d6               23.448                 9.930                 2.514
d14               2.299                 2.299                 2.299
d16               7.235                21.860                45.775
d18               6.500                 4.750                 1.000
短焦点距離端          中間焦点距離          長焦点距離端
物体距離          ３ｍ                  ３ｍ                  ３ｍ
d6               23.448                 9.930                 2.514
d14               2.309                 2.380                 2.446
d16               7.044                21.551                44.980
d18               6.681                 4.978                 1.648
短焦点距離端          中間焦点距離          長焦点距離端
物体距離          １ｍ                  １ｍ                  １ｍ
d6               23.448                 9.930                 2.514
d14               2.326                 2.541                 2.737
d16               6.675                20.953                43.502
d18               7.033                 5.415                 2.835
短焦点距離端          中間焦点距離          長焦点距離端
物体距離          0.5ｍ                 0.5ｍ                 0.5ｍ
d6               23.448                 9.930                 2.514
d14               2.351                 2.780                 3.169
d16               6.150                20.097                41.486
d18               7.533                 6.032                 4.419
短焦点距離端          中間焦点距離          長焦点距離端
物体距離          0.15ｍ                0.2ｍ                 0.3ｍ
d6               23.448                 9.930                 2.514
d14               2.451                 3.489                 3.739
d16               4.055                17.755                39.058
d18               9.528                 7.665                 6.277
（表３０）
フォーカシング時の各レンズ群の移動量（像側に向かって移動する方向を正とし、物体側に向かって移動する方向を負とする）
短焦点距離端          中間焦点距離          長焦点距離端
物体距離          ３ｍ                  ３ｍ                  ３ｍ
第１レンズ群      0.000                 0.000                 0.000
第２Ａレンズ群    0.000                 0.000                 0.000
第２Ｂレンズ群    0.010                 0.081                 0.147
第３レンズ群     -0.181                -0.228                -0.648
短焦点距離端          中間焦点距離          長焦点距離端
物体距離          １ｍ                  １ｍ                  １ｍ
第１レンズ群      0.000                 0.000                 0.000
第２Ａレンズ群    0.000                 0.000                 0.000
第２Ｂレンズ群    0.027                 0.242                 0.438
第３レンズ群     -0.533                -0.665                -1.835
短焦点距離端          中間焦点距離          長焦点距離端
物体距離          0.5ｍ                 0.5ｍ                 0.5ｍ
第１レンズ群      0.000                 0.000                 0.000
第２Ａレンズ群    0.000                 0.000                 0.000
第２Ｂレンズ群    0.052                 0.481                 0.870
第３レンズ群     -1.033                -1.282                -3.419
短焦点距離端          中間焦点距離          長焦点距離端
物体距離          0.15ｍ                0.2ｍ                 0.3ｍ
第１レンズ群      0.000                 0.000                 0.000
第２Ａレンズ群    0.000                 0.000                 0.000
第２Ｂレンズ群    0.152                 1.190                 1.440
第３レンズ群     -3.028                -2.915                -5.277
【００６８】
各数値実施例の各条件式に対する値を表３１に示す。条件式（１）の対応数値は、物体距離が３ｍ−１ｍ−0.5ｍ−0.15ｍの順に示している。条件式（２）の対応数値は、中間焦点距離にあっては物体距離が３ｍ−１ｍ−0.5ｍ−0.2ｍの順に示しており、長焦点距離端にあっては物体距離が３ｍ−１ｍ−0.5ｍ−0.3ｍの順に示している。
（表３１）
実施例１
条件式（１）                          0.041-0.040-0.040-0.040
条件式（２）（中間焦点距離）     (-5.060-(-5.000)-(-5.014)-(-5.001)
条件式（２）（長焦点距離端）   (-12.477)-(-12.480)-(-12.503)-(-12.500)
条件式（３）                                  -0.956
条件式（４）                                   0.694
条件式（５）                                   55.46
条件式（６）                                   0.063
条件式（７）                                   1.175
条件式（８）                                   0.178
条件式（９）                                    1.05
実施例２
条件式（１）                          0.000-0.000-0.000-0.000
条件式（２）（中間焦点距離）     (-6.947)-(-6.658)-(-6.659)-(-6.671)
条件式（２）（長焦点距離端）   (-31.917)-(-30.313)-(-27.705)-(-23.960)
条件式（３）                                  -1.051
条件式（４）                                   1.313
条件式（５）                                   55.46
条件式（６）                                   0.063
条件式（７）                                   1.155
条件式（８）                                   0.160
条件式（９）                                    1.05
実施例３
条件式（１）                          0.000-0.000-0.000-0.000
条件式（２）（中間焦点距離）     (-2.239)-(-2.231)-(-2.223)-(-2.224)
条件式（２）（長焦点距離端）           0.000-0.000-0.000-0.000
条件式（３）                                  -0.920
条件式（４）                                   0.891
条件式（５）                                   55.46
条件式（６）                                   0.061
条件式（７）                                   1.206
条件式（８）                                   0.179
条件式（９）                                    1.05
実施例４
条件式（１）                          0.000-0.000-0.000-0.000
条件式（２）（中間焦点距離）     (-1.976)-(-1.992)-(-1.998)-(-1.998)
条件式（２）（長焦点距離端）     (-2.007)-(-2.002)-(-2.000)-(-1.999)
条件式（３）                                  -0.821
条件式（４）                                   0.838
条件式（５）                                   54.67
条件式（６）                                   0.056
条件式（７）                                   1.210
条件式（８）                                   0.224
条件式（９）                                    1.05
実施例５
条件式（１）                    (-0.055)-(-0.051)-(-0.050)-(-0.050)
条件式（２）（中間焦点距離）     (-2.815)-(-2.748)-(-2.665)-(-2.450)
条件式（２）（長焦点距離端）     (-3.812)-(-4.189)-(-3.930)-(-3.665)
条件式（３）                                  -0.755
条件式（４）                                   0.907
条件式（５）                                    49.6
条件式（６）                                   0.055
条件式（７）                                   1.145
条件式（８）                                   0.189
条件式（９）                                    1.05
【００６９】
表３１から明らかなように、数値実施例１〜数値実施例５は、条件式（１）〜（９）を満足しており、諸収差図から明らかなように諸収差は比較的よく補正されている。
【符号の説明】
【００７０】
Ｇ１  負の屈折力を持つ第１レンズ群
１１  負レンズ
１２  負レンズ
１３  正レンズ
Ｇ２  正の屈折力を持つ第２レンズ群
Ｇ２Ａ  正の屈折力を持つ第２Ａレンズ群
Ｇ２Ｂ  負の屈折力を持つ第２Ｂレンズ群
２１  正レンズ
２２  正レンズ
２３  負レンズ
２４  正レンズ
２５  負レンズ（負単レンズ）
Ｇ３  正の屈折力を持つ第３レンズ群
３１  正レンズ（正単レンズ）
Ｇ４  負の屈折力を持つ第４レンズ群
４１  負レンズ
ＯＰ  光学フィルタ
Ｓ  絞り
Ｉ  像面
【図１】
0005851286.tif 000002
【図２】
0005851286.tif 000003
【図３】
0005851286.tif 000004
【図４】
0005851286.tif 000005
【図５】
0005851286.tif 000006
【図６】
0005851286.tif 000007
【図７】
0005851286.tif 000008
【図８】
0005851286.tif 000009
【図９】
0005851286.tif 000010
【図１０】
0005851286.tif 000011
【図１１】
0005851286.tif 000012
【図１２】
0005851286.tif 000013
【図１３】
0005851286.tif 000014
【図１４】
0005851286.tif 000015
【図１５】
0005851286.tif 000016
【図１６】
0005851286.tif 000017
【図１７】
0005851286.tif 000018
【図１８】
0005851286.tif 000019
【図１９】
0005851286.tif 000020
【図２０】
0005851286.tif 000021
【図２１】
0005851286.tif 000022
【図２２】
0005851286.tif 000023